(57)【要約】【課題】      ブロック塀の一部に開口部を形成し、この開口部にフェンスを設ける塀構造において、簡単な構造で外観上の一体感を得ることができ、しかもフェンスの強度も向上させることができる塀構造を提供する。【解決手段】  ブロック塀１０は複数のブロック１１を積み上げることにより形成されている。ブロック塀１０の開口部１２にはフェンス２０が設けられている。ブロック塀１０及びフェンス２０の上部には笠木３０が連続して設けられている。笠木３０と、ブロック塀１０及びフェンス２０との間には複数の笠木取付金具４０が配置されている。笠木３０は、笠木取付金具４０を介してブロック塀１０及びフェンス２０に固定されている。笠木取付金具４０のネジとめ片４３には、笠木３０のネジ止め片３４がネジ４６で固定されるとともに、係止凹部４２には、笠木３０の係止片３３が嵌合固定されている。【選択図】        図２
2007039960.tif 000002
【特許請求の範囲】
【請求項１】
ブロック塀と、該ブロック塀に形成した開口部に設けたフェンスと、前記ブロック塀の上部とフェンスの上部とに連続して設けた笠木とを有することを特徴とする塀構造。
【請求項２】
前記笠木を金属製材料で形成するとともに、前記ブロック塀の上部とフェンスの上部とに複数の笠木取付金具を所定間隔で固定し、該笠木取付金具に笠木を取り付けることにより笠木をブロック塀及びフェンスに固定することを特徴とする請求項１記載の塀構造。
【請求項３】
前記笠木を多数のブロック状笠木部材を連接して形成するとともに、前記フェンスの上部に金属製ベース部材を固定し、該金属製ベース部材にモルタルを介してブロック状笠木部材を固定することにより笠木をフェンスに固定するとともに、前記ブロック塀にブロック状笠木部材からなる笠木を固定することを特徴とする請求項１記載の塀構造。
【請求項４】
前記金属製ベース部材の上面に、モルタル固定用のアンカー部を形成したことを特徴とする請求項３記載の塀構造。
【請求項５】
前記笠木を箱形に形成した金属製材料で形成するとともに、前記フェンスの上部に笠木固定金具を固定し、該笠木固定金具に笠木を固定することにより笠木をフェンスに固定するとともに、前記ブロック塀に笠木を固定することを特徴とする請求項１記載の塀構造。
【請求項６】
前記笠木の下面に、笠木固定金具の位置決めをするための位置決め凹部を形成したことを特徴とする請求項５記載の塀構造。
【請求項７】
前記笠木の下面に、モルタル固定用のアンカー部を形成したことを特徴とする請求項５又は６記載の塀構造。
【請求項８】
前記笠木を箱形に形成した金属製材料で形成するとともに、該笠木の下面であってフェンス上面に対向する面に連続してカバー部材を固定し、該カバー部材をフェンス上部に外嵌するとともに、前記ブロック塀に笠木を固定することを特徴とする請求項１記載の塀構造。
【請求項９】
前記笠木の下面に、モルタル固定用のアンカー部を形成したことを特徴とする請求項８記載の塀構造。
【請求項１０】
前記カバー部材がアンカー部を収納していることを特徴とする請求項９記載塀構造。
【発明の詳細な説明】
【技術分野】
【０００１】
本発明は、ブロック塀の開口部にフェンスを設けた塀構造に関し、さらに詳しくは、ブロック塀とフェンスとの上部に連続した笠木を設けた塀構造に関するものである。
【背景技術】
【０００２】
従来、ブロック塀の一部に開口部を形成し、この開口部にフェンスを設ける塀構造が知られている。例えば、コンクリートブロックから成るブロック塀の上部を一部開口し、この開口部にフェンスを設けたもので、フェンスを支脚及び支承ボルトでコンクリートブロックに固定したブロックフェンスが提案されている（例えば、特許文献１参照）。また、コンクリートブロックから成るブロック塀の上部を一部開口し、この開口部に丸太材を設けたもので、丸太材をだぼそ等によりコンクリートブロックに取り付けた丸太材組み込みブロック塀が提案されている（例えば、特許文献２参照）。
【０００３】
【特許文献１】実開昭５０−６４１３９号公報
【特許文献２】実開平４−２７０６０号公報
【発明の開示】
【発明が解決しようとする課題】
【０００４】
しかしながら、上述した従来のブロック塀の開口部にフェンスを設けた塀構造においては、ブロック塀とフェンスとに一体感が無く、外観上美しいとは言えないものであった。すなわち、視線を水平方向に移動して塀構造を眺めた際、その上部においてブロック塀とフェンスとの間に間隙があり、また質観が相違しているため、外観上の一体感が無く違和感を感じざるを得ないものであった。
【０００５】
本発明は以上の問題点を解決し、簡単な構造で外観上の一体感を得ることができ、しかもフェンスの強度も向上させることができる塀構造を提供することを目的とする。
【課題を解決するための手段】
【０００６】
本発明者らは、上述した課題を達成するために鋭意検討し、ブロック塀とフェンスとの上部に連続した笠木を設けることにより、塀構造の上部における連続性を確保することができ、極めて良好な外観を得ることができることを見出すとともに、さらに、フェンスの強度も向上することを見出し、本発明を完成させたものである。
【０００７】
すなわち、請求項１に係る発明は、ブロック塀と、該ブロック塀に形成した開口部に設けたフェンスと、前記ブロック塀の上部とフェンスの上部とに連続して設けた笠木とを有することを特徴とした塀構造である。
【０００８】
請求項２に係る発明は、請求項１に係る発明において、前記笠木を金属製材料で形成するとともに、前記ブロック塀の上部とフェンスの上部とに複数の笠木取付金具を所定間隔で固定し、該笠木取付金具に笠木を取り付けることにより笠木をブロック塀及びフェンスに固定することを特徴とした塀構造である。
【０００９】
請求項３に係る発明は、請求項１に係る発明において、前記笠木を多数のブロック状笠木部材を連接して形成するとともに、前記フェンスの上部に金属製ベース部材を固定し、該金属製ベース部材にモルタルを介してブロック状笠木部材を固定することにより笠木をフェンスに固定するとともに、前記ブロック塀にブロック状笠木部材を固定することを特徴とした塀構造である。また、請求項４に係る発明は、請求項３に係る発明において、前記金属製ベース部材の上面に、モルタル固定用のアンカー部を形成したことを特徴とした塀構造である。
【００１０】
請求項５に係る発明は、請求項１に係る発明において、前記笠木を箱形に形成した金属製材料で形成するとともに、前記フェンスの上部に笠木固定金具を固定し、該笠木固定金具に笠木を固定することにより笠木をフェンスに固定するとともに、前記ブロック塀に笠木を固定することを特徴とした塀構造である。また、請求項６に係る発明は、請求項５に係る発明において、前記笠木の下面に、笠木固定金具の位置決めをするための位置決め凹部を形成したことを特徴とした塀構造である。さらに、請求項７に係る発明は、請求項５又は６に係る発明において、前記笠木の下面に、モルタル固定用のアンカー部を形成したことを特徴とした塀構造である。
【００１１】
請求項８に係る発明は、請求項１に係る発明において、前記笠木を箱形に形成した金属製材料で形成するとともに、該笠木の下面であってフェンス上面に対向する面に連続してカバー部材を固定し、該カバー部材をフェンス上部に外嵌するとともに、前記ブロック塀に笠木を固定することを特徴とした塀構造である。また、請求項９に係る発明は、請求項８に係る発明において、前記笠木の下面に、モルタル固定用のアンカー部を形成したことを特徴とした塀構造である。さらに、請求項１０に係る発明は、請求項９に係る発明において、前記カバー部材がアンカー部を収納していることを特徴とした塀構造である。
【発明の効果】
【００１２】
請求項１に係る発明においては、ブロック塀の上部とフェンスの上部とに連続して笠木を設けたので、塀構造全体としての一体感を得ることができ、また、フェンスの上部においてもブロック塀と連結されているので、フェンスの強度を向上させている。
【００１３】
請求項２に係る発明においては、ブロック塀とフェンスとに固定した笠木取付金具に笠木を取り付けるので、極めて簡単に笠木をブロック塀及びフェンスに固定することができる。
【００１４】
請求項３に係る発明においては、フェンスに金属製ベース部材を設け、この金属製ベース部材にモルタルを介して笠木を固定するので、コンクリート系ブロックからなるブロック状笠木部材であっても、極めて簡単に笠木をフェンスに固定することができる。また、請求項４に係る発明においては、金属製ベースの上面にアンカー部を形成したので、フェンスにモルタルを介して固定する際、強固に固定することができる。
【００１５】
請求項５に係る発明においては、フェンスに固定した笠木固定金具に笠木を固定するので、極めて簡単に笠木をフェンスに固定することができ、また、笠木を箱形に形成しているので、笠木の重量と剛性を高めることができ、モルタル等によりブロック塀に笠木を固定する際に簡単かつ安定して取付けることができる。さらに、請求項６に係る発明においては、笠木の下面に位置決め凹部を形成しているので、笠木固定金具を当該位置決め凹部に併せることにより、笠木をフェンスの中央に配置することができる。さらにまた、請求項７に係る発明においては、笠木の下面にアンカー部を形成したので、ブロック塀にモルタル等を介して固定する際、強固に固定することができる。
【００１６】
請求項８に係る発明においては、笠木の下面においてカバー部材を固定し、このカバー部材をフェンス上部に外嵌するので、極めて簡単に笠木をフェンスに固定することができ、また、笠木を箱形に形成しているので、笠木の重量と剛性を高めることができ、モルタル等によりブロック塀に笠木を固定する際に簡単かつ安定して取付けることができる。さらに、カバー部材は笠木の下面であってフェンス上面に対向する面に連続して固定されているので、フェンス上部の長手方向の全域に固定されることとなり、笠木の垂直方向の強度が向上するとともに、フェンスの前後方向の強度が向上し、その結果、笠木の垂直方向の移動及びフェンスの前後方向の移動を抑制することができる。さらに、請求項９に係る発明においては、笠木の下面にアンカー部を形成したので、ブロック塀にモルタル等を介して固定する際、強固に固定することができる。さらにまた、請求項１０に係る発明におては、カバー部材がアンカー部を収納するようにしたので、アンカー部が露出することなく外観を向上させることができる。
【発明を実施するための最良の形態】
【００１７】
本発明の塀構造はブロック塀が設けられている。このブロック塀は複数のブロックを積み上げて形成したもので、ブロックとしては従来用いられている各種ブロックを用いることができる。また、ブロック塀にはフェンスを設けるための開口部が形成されている。この開口部は、ブロック塀の上部を一部開口して形成しても、ブロック塀の上端から下端にかけて全面的に開口して形成してもよい。
【００１８】
ブロック塀の開口部にはフェンスが設けられている。このフェンスは、その材質及び形状は特に限定されず、また、ブロック塀への固定方法も特に限定されず、例えば、フェンスにブロックの貫通孔に挿入するアンカー部材を設け、モルタルにより固定する方法、フェンスの周囲に突条を形成し、この突条をモルタルによりブロック塀に固定する方法がある。
【００１９】
ブロック塀の上部とフェンスの上部とに連続して笠木が設けられている。笠木は、金属製材料で形成したもの、例えば、アルミニウム形材等の金属製形材や、折り曲げ加工、ロールフォーミング加工等で形成したものでも、多数のブロック状笠木部材を連接して形成したものであってもよい。ブロック状笠木部材としては、コンクリートを成形加工したものが挙げられ、結合材としてセメントを用いたものに限定されず、その他の結合材を用いても構わない。また、笠木の形状は、フェンスの形状により適宜変更され、直線状（フェンスの上端がブロック塀の上端と水平方向に略一致する場合）、上に円弧状の凸形状、下に円弧状の凹形状等の各種態様を採ることができる。
【００２０】
笠木をブロック塀及びフェンスに固定するには、笠木を金属製材料で形成した場合はネジ等で直接固定しても、笠木をコンクリートを成形加工したブロック状笠木部材で形成した場合は、モルタルを介して直接固定してもよい。しかし、施工が簡単になるので、ブロック塀及びフェンスに笠木取付金具を設けたり、フェンス上部に金属製ベース部材を設けたり、フェンスに笠木固定部材を設けたり、笠木にカバー部材を設けたりしてもよい。また、これら笠木取付金具、金属製ベース部材、笠木固定部材及びカバー部材は、複数個に分けて所定間隔で設けても、ブロック塀あるいはフェンスの全長に亘って設けてもよい。
【００２１】
本発明の塀構造の第一実施形態（請求項１及び２に相当）を図面を参照して説明する。図１は塀構造の全体正面図、図２は塀構造の分解斜視図、図３は塀構造のブロック塀上端部分の断面図、図４は塀構造のフェンス上端部分の断面図である。
【００２２】
図１及び図２において、１０はブロック塀で、このブロック塀１０は複数のブロック１１を積み上げることにより形成されており、その中央の上部には開口部１２が形成されている。このブロック塀１０の開口部１２にはフェンス２０が設けられており、このフェンス２０はアルミニウム形材で形成されており、両側の縦枠２１、上枠２２、下枠２３と、これらの縦枠２１、上枠２２及び下枠２３で形成された枠体に設けられた複数の格子２４とから構成されている。
【００２３】
これらブロック塀１０及びフェンス２０の上部には笠木３０が連続して設けられている。したがって、ブロック塀１０とフェンス２０とが分断されることなく、一体感を得ることができる。この笠木３０はアルミニウム形材で形成されており、笠木本体３１と、両側に設けられたカバー部材３２とで構成されている。笠木本体３１は、図３及び図４に示すように、断面「コ」字状に形成されており、一端側には係止片３３が形成されるとともに、他端側にはネジ止め片３４が形成されている。そして、この笠木３０と、ブロック塀１０及びフェンス２０との間には複数の笠木取付金具４０が配置され、笠木３０は、この笠木取付金具４０を介してブロック塀１０及びフェンス２０に固定されている。
【００２４】
笠木取付金具４０はアルミニウム形材で形成されており、図３及び図４に示すように、ブロック塀１０の幅（塀構造の前後方向の長さ、図中左右方向の長さ）より若干長い平坦部４１が形成され、平坦部４１の一端側には前記係止片３３を嵌合させる係止凹部４２が形成されるとともに、他端側には前記ネジ止め片３４に重ね合わせてネジ止めされるネジ止め片４３が形成されている。
【００２５】
そして、この笠木取付金具４０は、ブロック塀１０上面において平坦部４１をコンクリートボルト４４によりブロック塀１０に固定するとともに、フェンス２０上面において平坦部４１をネジ４５で上枠２２に固定している。また、笠木取付金具４０のネジとめ片４３には、笠木３０のネジ止め片３４がネジ４６で固定されるとともに、係止凹部４２には、笠木３０の係止片３３が嵌合固定されている。
【００２６】
以上のような塀構造を施工するには、まず、ブロック塀１０を形成した後、その開口部１２にフェンス２０を固定する。そして、ブロック塀１０及びフェンス２０の上枠２２に笠木取付金具４０をそれぞれコンクリートボルト４４及びネジ４５で固定する。さらに、この笠木取付金具４０に笠木３０を被せて係止片３３を係止凹部４２に嵌合させた後、ネジ止め片３４をネジ止め片４３にネジ４６で固定する。
【００２７】
本発明の塀構造の第二実施形態（請求項３、４に相当）を図面を参照して説明する。図５は塀構造の全体正面図、図６は塀構造のブロック塀上端部分の断面図、図７は塀構造のフェンス上端部分の断面図である。
【００２８】
第二実施形態は、図５に示すように、前記第一実施形態と同様にブロック塀１０及びフェンス２０が形成されているが、笠木の構成が異なっている。すなわち、笠木５０はブロック状笠木部材である複数のコンクリート系ブロック５１を連接して形成している。また、フェンス２０の上枠２２には、図７に示すように、金属製ベース部材６０が固定されている。この金属製ベース部材６０はアルミニウム形材で形成したもので、両側が上向きに傾斜した断面翼状に形成されている。また、下面中央には上枠２２が嵌合する凹部６１が形成されるとともに、上面にはアンカー部６２が形成されている。
【００２９】
金属製ベース部材６０は凹部６１が上枠２２に外嵌した状態でネジ６３により固定されている。そして、笠木５０は、ブロック塀１０上面においてモルタル７０を介してブロック塀１０に固定されるとともに、フェンス２０上面においてモルタル７０を介して金属製ベース部材６０に固定されている。この時、アンカー部６２により強固に固定されている。
【００３０】
本発明の塀構造の第三実施形態（請求項５、６、７に相当）を図面を参照して説明する。図８は塀構造のブロック塀上端部分の断面図、図９は塀構造のフェンス上端部分の断面図である。
【００３１】
第三実施形態は、前記第一実施形態と同様にブロック塀１０及びフェンス２０が形成されているが、笠木の構成が異なっている。すなわち、図８及び図９に示すように、笠木８０は、アルミニウム形材で形成したもので、略箱形に形成されている。笠木８０の下面には、断面略「コ」字状の凹部８１が形成され、さらにこの凹部８１には、後述する笠木固定金具が嵌合して位置決めできるように位置決め凹部８２が形成されるとともに、モルタル固定用のアンカー部８３が形成されている。
【００３２】
また、フェンス２０の上枠２２の側面には「Ｌ」字状の笠木固定金具９０がネジ９１で固定されている。そして、笠木８０は、ブロック塀１０上面においてモルタル７０を介してブロック塀１０に固定するとともに、フェンス２０上面において笠木固定金具９０が位置決め凹部８２に嵌合した状態でネジ９２で固定されている。
【００３３】
本発明の塀構造の第四実施形態（請求項８、９、１０に相当）を図面を参照して説明する。図１０は塀構造のブロック塀上端部分の断面図、図１１は塀構造のフェンス上端部分の断面図である。
【００３４】
第四実施形態は、前記第一実施形態と同様にブロック塀１０及びフェンス２０が形成されているが、笠木の構成が異なっている。すなわち、図１０及び図１１に示すように、笠木１００は、アルミニウム形材で形成したもので、略箱形に形成されている。笠木１００の下面には、断面略「コ」字状の凹部１０１が形成され、さらにこの凹部１０１には、後述するカバー部材が嵌合する位置決めできるように位置決め凹部１０２が形成されるとともに、モルタル固定用のアンカー部１０３が形成されている。
【００３５】
また、笠木１００の下面であってフェンス２０の上面に対向する個所には、カバー部材１１０が前記位置決め凹部１０２に嵌合した状態でネジ１１１により固定されている。そして、笠木１００は、ブロック塀１０上面においてモルタル７０を介してブロック塀１０に固定されるとともに、フェンス２０上面においてカバー部材１１０がフェンス２０の上枠２２に外嵌することによりフェンス２０との位置関係が確定される。また、カバー部材１１０がアンカー部１０３を収納しているので、アンカー部１０３が外部から見えない状態となっている。
【００３６】
本発明の塀構造の第五実施形態（請求項８、９、１０に相当）を図面を参照して説明する。図１２は塀構造のフェンス上端部分の断面図である。
【００３７】
第五実施形態は、前記第一実施形態と同様にブロック塀１０及びフェンス２０が形成されており、また、第四実施形態と同様に笠木１００が形成されているが、カバー部材の構成が異なっている。すなわち、図１２に示すように、カバー部材１２０は、断面「コ」字状に形成されており、アンカー部材１０３が露出した状態となっている。そして、このカバー部材１２０をネジ１２１で笠木１００に固定するとともに、フェンス２０の上枠２２を嵌合させるものである。なお、ブロック塀１０における笠木１００の固定は第四実施形態と同様である。
【００３８】
上記第四実施形態及び第五実施形態においては、カバー部材１１０、１２０がフェンス２０の上部において長手方向の全域に外嵌している。このような構成であれば、笠木１００の下方向の移動はフェンスの上端によって抑えられ、フェンス２０の前後方向の移動は笠木によって抑えられることとなり、笠木とフェンスの相対移動を抑制することができる。
【００３９】
本発明の塀構造の第六実施形態を図面を参照して説明する。図１３は塀構造の全体正面図である。第六実施形態は、笠木の形状を変更したもので、笠木１３０は上方へ突出した円弧状に形成されており、また、フェンス１４０もその上枠１４１が上端が上方へ突出した円弧状に形成されているものである。なお、ブロック塀は第一実施形態と同様である。
【図面の簡単な説明】
【００４０】
【図１】本発明による塀構造の第一実施形態の全体正面図
【図２】本発明による塀構造の第一実施形態の分解斜視図
【図３】本発明による塀構造の第一実施形態のブロック塀上端部分の断面図
【図４】本発明による塀構造の第一実施形態のフェンス上端部分の断面図
【図５】本発明による塀構造の第二実施形態の全体正面図
【図６】本発明による塀構造の第二実施形態のブロック塀上端部分の断面図
【図７】本発明による塀構造の第三実施形態のフェンス上端部分の断面図
【図８】本発明による塀構造の第三実施形態のブロック塀上端部分の断面図
【図９】本発明による塀構造の第四実施形態のフェンス上端部分の断面図
【図１０】本発明による塀構造の第四実施形態のブロック塀上端部分の断面図
【図１１】本発明による塀構造の第五実施形態のフェンス上端部分の断面図
【図１２】本発明による塀構造の第五実施形態のフェンス上端部分の断面図
【図１３】本発明による塀構造の第六実施形態の全体正面図
【符号の説明】
【００４１】
１０  ブロック塀
２０  フェンス
３０  笠木（アルミニウム形材）
４０  笠木取付金具
５０  笠木（コンクリート系ブロック）
６０  金属製ベース部材
７０  モルタル
８０  笠木（アルミニウム形材）
９０  笠木固定金具
１００  笠木（アルミニウム形材）
１１０  カバー部材
１２０  カバー部材
１３０  笠木（アルミニウム形材）
１４０  フェンス
【図１】
2007039960.tif 000003
【図２】
2007039960.tif 000004
【図３】
2007039960.tif 000005
【図４】
2007039960.tif 000006
【図５】
2007039960.tif 000007
【図６】
2007039960.tif 000008
【図７】
2007039960.tif 000009
【図８】
2007039960.tif 000010
【図９】
2007039960.tif 000011
【図１０】
2007039960.tif 000012
【図１１】
2007039960.tif 000013
【図１２】
2007039960.tif 000014
【図１３】
2007039960.tif 000015